(57)【要約】【課題】目次本を用いることなく、またカラオケ演奏装置の機種を意識することなく、希望の楽曲を簡単に検索して選出できるとともに予約信号を送信できるようにする。【解決手段】操作入力手段と、表示手段と、カラオケ演奏装置の複数の機種情報の中から選択された１つの機種情報を設定記憶する機種切替設定手段と、カラオケ演奏装置の複数の機種ごとに選曲予約用楽曲データを整理して記憶したデータベースと、外部記録媒体から機種情報および楽曲データを読み込んでデータベースの該当機種の記憶領域に楽曲データを書き込んでデータベースを更新するデータベース更新手段と、楽曲検索手段により指定された楽曲について、機種切替設定手段にて設定された機種向けの楽曲データをデータベースから取り出し、その楽曲を当該機種のカラオケ演奏装置に予約する信号を無線送信する無線予約手段とを備える。【選択図】　　　　図１
2004029725.tif 000002
【特許請求の範囲】
【請求項１】
利用者が情報を入力する操作入力手段と、
利用者に情報を提示する表示手段と、
カラオケ演奏装置の複数の機種情報の中から選択された１つの機種情報を設定記憶する機種切替設定手段と、
カラオケ演奏装置の複数の機種ごとに選曲予約用楽曲データを整理して記憶したデータベースと、
外部記録媒体から機種情報および楽曲データを読み込むデータ読込手段と、
外部記録媒体から機種情報および楽曲データを読み込んでデータベースの該当機種の記憶領域に楽曲データを書き込んでデータベースを更新するデータベース更新手段と、
操作入力手段および表示手段による情報入出力を行いつつ利用者が希望の楽曲をデータベースから検索するための処理を行う楽曲検索手段と、
楽曲検索手段により指定された楽曲について、機種切替設定手段にて設定された機種向けの楽曲データをデータベースから取り出し、その楽曲を当該機種のカラオケ演奏装置に予約する信号を無線送信する無線予約手段と、
を備えたことを特徴とするカラオケ選曲リモコン装置。
【発明の詳細な説明】
【０００１】
【発明の属する技術分野】
この発明は、希望の楽曲を選んでカラオケ演奏装置に予約するカラオケ選曲リモコン装置に関する。
【０００２】
【従来の技術】
この種のカラオケ選曲リモコン装置を用いたカラオケが世の中に普及してから今日に至るまで、カラオケ楽曲を選曲するには目次本が参照されている。遠隔操作をする際には、選曲された楽曲対応の楽曲コードをカラオケ選曲リモコン装置に打ち込めば良い。この楽曲コードについては、目次本に記載されている曲名、歌手名あるいはインデックス等の情報を参照して見つけ出せば良い。
【０００３】
このように従来の予約方法では、選曲と予約とが分担される。選曲については目次本を利用して人手により行われるものであり、予約については楽曲コードを打ち込むという単純なものである。
【０００４】
【発明が解決しようとする課題】
しかしながら、上述した従来のカラオケ選曲リモコン装置は、演奏装置との間で扱われる楽曲コードの体系が機種（メーカーの違いも含む）によって異なっている。このため演奏装置の機種が異なれば利用者はその都度異なった操作で異なった楽曲コードを打ち込まなければならず、またメーカーが異なると操作そのものの仕方までも変わってしまうので、選曲から予約までの手順について利用者側に負担が多くかかるという問題があった。特に初めてリモコンを操作する者やめったに店に足を運ばない者等にとり操作を覚えることは面倒なことである。行く店によって毎回操作が異なるようなことになればカラオケの楽しみを減退させることにもなる。また目次本についても機種により記載等が異なるため、予約操作をするまでの選曲に手間がかるという問題もあった。
【０００５】
この発明は上述した従来の問題点に鑑みなされたもので、その目的は、目次本を用いることなく、またカラオケ演奏装置の機種を意識することなく、希望の楽曲を簡単に検索して選出できるとともに予約信号を送信できるようにした遠隔操作用送信機を提供することにある。
【０００６】
【課題を解決するための手段】
この発明に係る係るカラオケ選曲リモコン装置は、以下に列記する各構成要件（１）〜（８）を備えたことを特徴とするものである。
（１）利用者が情報を入力する操作入力手段
（２）利用者に情報を提示する表示手段
（３）カラオケ演奏装置の複数の機種情報の中から選択された１つの機種情報を設定記憶する機種切替設定手段
（４）カラオケ演奏装置の複数の機種ごとに選曲予約用楽曲データを整理して記憶したデータベース
（５）外部記録媒体から機種情報および楽曲データを読み込むデータ読込手段
（６）外部記録媒体から機種情報および楽曲データを読み込んでデータベースの該当機種の記憶領域に楽曲データを書き込んでデータベースを更新するデータベース更新手段
（７）操作入力手段および表示手段による情報入出力を行いつつ利用者が希望の楽曲をデータベースから検索するための処理を行う楽曲検索手段
（８）楽曲検索手段により指定された楽曲について、機種切替設定手段にて設定された機種向けの楽曲データをデータベースから取り出し、その楽曲データに基づいてその楽曲を当該機種のカラオケ演奏装置に予約する信号を無線送信する無線予約手段
【作用】
この発明におけるカラオケ選曲リモコン装置は、記録媒体から楽曲データを読み出して記憶するので、新譜等の楽曲データを随時追加させ自身のデータベースを更新することができる。これによりいつでも最新の楽曲を予約できるように準備することができる。また楽曲を特定するための情報を表示させながら楽曲を指定するので、単に楽曲を指定して選曲するだけでなく、楽曲を検索することにも利用できる。さらに楽曲を特定するための情報を無線送信するので、目次本を参照せずカラオケ選曲リモコン装置自身で最新の情報を蓄え、それを検索でき、さらに楽曲を予約することまでもできる。また、データベースでは機種別に楽曲データを管理するので、一台のリモコン装置を複数の機種のカラオケ演奏装置に切替式で対応させることができる。
【０００７】
【実施例】
以下に、添付図面を参照して、この発明に係る好適な一実施例を詳細に説明する。図１はこの発明に係るカラオケ選曲リモコン装置の一実施例を示すブロック図であり、図２は図１に示したカラオケ選曲リモコン装置の外観を示す正面図である。図１および図２において、１は本実施例のカラオケ選曲リモコン装置であり、以下本機と称する。この本機１において、１０は本実施例による選曲及び予約の操作を行うための操作部であり、操作面に文字キー１０ａ、予約キー１０ｂ、予約取消キー１０ｃ、演奏中止キー１０ｄ、画面切替キー１０ｅ、コピーキー１０ｆ、カーソルキー１０ｇを設けている。
【０００８】
１２は電源スイッチであり、１４は電源スイッチ１２の操作に応じて装置全体に電力を供給する電源部である。１６は表示制御部であり、１８は表示制御部１６により表示制御されて選曲や予約のための画面を形成する液晶等の表示部である。なお、この表示部１８には表示用のメモリが具備されている。
【０００９】
２０は演奏装置５０に設置された受信手段５０ａに楽曲データを赤外線信号に変換してコマンド発信する赤外線発信部である。２２は曲名、歌手名、曲名や歌手名の各インデックス等の情報を記録しているメモリカードであり、２４はメモリカード２２の装着状態を検知するとともに楽曲データを読み込むカード検知及びデータ読込部である。
【００１０】
２６は本装置全体を制御する制御部であり、これはプログラムに従って動作するＣＰＵ２６ａと、楽曲の選曲や予約を行うための制御プログラム（例えば図５や図６に示したフローに従うプログラム等）を格納したＲＯＭ２６ｂと、各種プログラムのワークエリアとして用いたり楽曲データを記憶するＲＡＭ２６ｃとを備えている。そして、２８は本装置内部のアドレス信号、データ、制御信号を伝送するデータバスであり、３０はメモリカード２２を装着するためのカード装着部である。
【００１１】
ここで操作部１０について詳述する。文字キー１０ａは図２に示した如く例えば１１個のキー群から構成される。この文字キー１０ａは“あ”、“か”、“さ”、“た”、“な”、“は”、“ま”、“や”、“ら”、“わ”、“ん”の各見出し語から曲名を頭出し表示させるためのキーである。予約キー１０ｂは選曲された楽曲を演奏装置５０に対して予約するためのキーであり、予約取消キー１０ｃは演奏装置５０に予約された楽曲の予約取り消しを行うためのキーである。
【００１２】
また、演奏中止キー１０ｄは現在演奏装置５０の楽曲演奏を中止させるためのキーである。画面切替キー１０ｅは現在表示中の画面を前ページあるいは次ページに切り替えるためのキーであり、コピーキー１０ｆはメモリカード２２から楽曲データを読み込ませＲＡＭ２６ｃに書き込むコピー動作を指示するためのキーである。カーソルキー１０ｇは表示画面上に表示されるカーソルＣの位置を上方あるいは下方に移動指示するためのキーである。なお、画面切替キー１０ｅ、コピーキー１０ｆ、カーソルキー１０ｇはどれもひとつのキーだけでは機能せず、例えば画面については、画面切替キー１０ａを押下してカーソルキー１０ｇを上または下に押下することで前方あるいは後方に向かって画面がスクロールされる。またコピーについては、画面切替キー１０ｅとコピーキー１０ｆとを押下することで実行される。
【００１３】
次に楽曲データの管理方法について説明する。図３は本実施例において楽曲を特定するための情報を管理する記憶形式の一例を示す説明図であり、図４は本実施例において無線送信する際のフラグ情報の一例を示す説明図である。
【００１４】
本実施例では、図３に示した如く、ＲＡＭ２６ｃに楽曲を特定するための情報が記憶される。この情報として例えば曲名、歌手名、デュエット情報、ベスト１００曲、歌手名インデックス、曲名インデックスがあり、いずれの情報も圧縮されて記憶され、表示の際に解凍される。例えば、曲名ファイルについては、図３に示した如く、楽曲別に割り付けられた楽曲コード（Ｃ１，Ｃ２，Ｃ３，Ｃ４・・・）とそのタイトル（ＴＩＴＬＥ１，ＴＩＴＬＥ２，ＴＩＴＬＥ３，ＴＩＴＬＥ４・・・）が対応させて記憶される。
【００１５】
また、前述した予約キー１０ｂ、予約取消キー１０ｃの内のいずれかのキーが押下される場合には、予約あるいは予約取消対象の楽曲（楽曲コード）に対して図４に示したフラグが付加される。予約の場合にはＲで示した予約フラグが付加され、予約取消の場合にはＲＣで示した予約取消フラグが付加される。これらの付加により予約コードあるいは予約取消コードが形成される。なお、赤外線発信部２０にデータを送る際には、予約コードも予約取消コードも発信先の演奏装置５０で扱われるコマンド形式とする。
【００１６】
次に動作について説明する。図５及び図６は本実施例による予約動作を説明するフローチャートであり、図７は本実施例による表示例を示す図である。電源スイッチ１２により電源が投入されると、操作部１０からのキー入力が検知される（ステップ１０１）。本実施例では、ＲＡＭ２６ｃに新譜の楽曲データを順次追加していくので、メモリカード２２の装着状態を検知するのはコピー時である。そこでコピーキー１０ｆと画面切替キー１０ｅとが押下されコピーが指示された場合（ステップ１０２）、カード検知及びデータ読込部２４からメモリカード２２の装着状態が検知される（ステップ１０３）。
【００１７】
メモリカード２２が装着されている場合には、演奏装置に対応させたコマンドを示すコマンダ機種情報が読み取られる。ここで読み取られたコマンダ機種情報は予めＲＯＭ２６ｂに登録された演奏装置５０のコマンダ機種情報と比較される（ステップ１０５）。その結果一致している場合にはそのままメモリカード２２から楽曲データが読み込まれ、ＲＡＭ２６ｃに記憶される（ステップ１０６）。このようにして新譜の楽曲データが追加される。また一致していない場合には機種の不一致として表示部１８にメッセージが表示される（ステップ１０７）。そして上記ステップ１０３において、メモリカード２２が未装着である場合には、未装着のメッセージが表示される（ステップ１０８）。
【００１８】
またキー入力が文字キー１０ａによるものであれば、その入力文字に対応してＲＡＭ２６ｃの曲名ファイルが参照され、曲名の見出しが表示される（ステップ１１０）。例えば、“あ”行の見出しを表示させる文字キー１０ａが押下された場合、図７に示した如く、“あ”行の第１ページ目の曲名が頭出し表示される。
【００１９】
そして画面制御において、カーソルキー１０ｇが押下された場合、その押下により上方あるいは下方かを検知して、表示画面上のカーソルの位置を制御する処理が実行される。例えばカーソルキー１０ｇにより下方への移動が４回指示された場合には、図７に示した如く、カーソルＣは点線で示すカーソルＣ’の位置に移動制御される。また上記カーソルキー１０ｇと画面切替キー１０ｅとが押下された場合（ステップ１１３）、画面切替えとして、カーソルキー１０ｇの上方、下方への指示に応じて画面が上下にスクロール制御される（ステップ１１４）。このようにして画面制御が行われる。
【００２０】
さらに予約制御において、予約キー１０ｂが押下された場合は（ステップ１１５）、カーソルＣの位置する曲名に対応した楽曲が予約される。例えば図３に示した曲名“ＴＩＴＩＬＥ１”の位置にカーソルＣを移動させて予約キー１０ｂが押下されると、曲名“ＴＩＴＬＥ１”に対応した楽曲コードＣ１が検出される。そして楽曲コードＣ１に図４に示した予約フラグＲが付加されることで予約コードが形成される（ステップ１１６）。この予約コードは演奏装置５０の機種に対応したコマンド形式である。このようにして赤外線発信部２０において予約コードから赤外線信号への変換が行われ、その赤外線信号が演奏装置５０の受信手段５０ａに発信される（ステップ１１７）。また予約取消制御についても予約制御と同様に予約取消キー１０ｃが押下されると、そのときのカーソルＣが位置する曲名に従い、その曲名対応の楽曲コードと予約取消フラグＲＣ（図４参照）との一体化で予約取消コードが形成される（ステップ１１８，１１９）。そして予約取消コードから赤外線信号への変換が行われ、その赤外線信号が演奏装置５０の受信手段５０ａに発信される（ステップ１２０）。演奏装置５０では、この予約取消コードに従って既に予約されている楽曲の予約を取り消すための処理が実行される。
【００２１】
またステップ１１８にて演奏中止キー１０ｄの入力が検知されると、予め決められた演奏中止コードから赤外線信号への変換を行い、これを発信する処理が実行される（ステップ１２０，１２１）。
【００２２】
以上説明したように本実施例によれば、メモリカード２２から楽曲データを読み出してＲＡＭ２６ｃに記憶するようにしたので、新譜等の楽曲データを随時追加させ本機１自身のデータベースを追加に応じて更新させることができる。これによりいつでも最新の楽曲を予約できるように準備することができる。また楽曲を特定するための情報として、目次本のように曲名や歌手名あるいはインデックスを表示させることができるので、視覚的に楽曲を特定することが容易である。また表示画面上で楽曲を指定するようにしたので、楽曲を検索しやすくなり、これにより選曲が容易となる。さらに目次本を参照せず本機１自身で最新の新譜情報を蓄え、それを検索でき、さらに楽曲を予約（無線送信）することまでもできる。このように、演奏装置の機種に関係なく誰にでも簡単な操作手順で楽曲を予約することができ、利用者側の負担を軽減してくれる。
【００２３】
また、見出し語に対応させた文字キー１０ａをもつようにしたので、文字キー１０ａの操作で直接所望の見出しを頭出し表示させることができるとともに他のキー、る。このように、選曲の操作を簡易な構成により実現することができる。そして演奏装置の機種に対応して楽曲データを管理するようにしたので、同一の機種のみで楽曲データを管理することができる。これにより、カラオケ選曲リモコン装置を機種別に専用に利用することができ、どの機種に対応したカラオケ選曲リモコン装置でも同じ操作で予約することができるというメリットがある。
【００２４】
さらに、新譜がでてもＲＡＭ２６ｃ上でデータベースを更新させることができるので、従来のように新譜がでるごとに目次本を製本するような不経済さを排除することができる。
【００２５】
さて、上述した実施例では、制御部２６のＲＡＭ２６ｃやＲＡＭ２６ｃ’に楽曲データのデータベースを構築させていたが、例えば、フラッシュＲＯＭ等の書き込み可能なメモリを適用しても良い。
また、前述のメモリカード２２として、例えば、ＲＡＭカード、ＲＯＭカード、磁気カード、光磁気カード、ＩＣカード等のカードが適用可能である。
【００２６】
さらに、飲食店等では照明が暗い場合があるので、表示部１８に照明部を設けても良い。これにより表示画面を明るく照らされるので表示画面から一層文字を読み取り易くすることができる。
【００２７】
そして、前述の実施例では、本機１の一台に一コマンダ機種を対応させていたが、ＲＡＭ２６ｃあるいは他のメモリ構成によりメモリ容量をアップすることで複数種のコマンダ機種に対応できるようにしても良い。この場合、メモリカードからの読み出し時にコマンダ機種を判別して機種ごとに予め設定した所定の記憶領域に書き込むようにすれば良い。予約や予約取消し時のコマンダ機種の切替えは、コマンダ機種を切り替えるキーを操作部１０に設けたり、表示画面を使ったソフトスイッチを設定することで対応するようにしてもよい。
【００２８】
また、前述の実施例では記録媒体としてメモリカード２２を使用したが、他にコンパクトディスクやフロッピーディスク等の記録媒体でも適用可能である。この場合、各記録媒体の種類に応じて本機１のサイズやカード検知及びデータ読込部２４の読み取り構成を適宜変更すれば良い。
【００２９】
さらに、前述の実施例では、画面制御について、画面切替えをスクロール切替えとしたが、単に前ページ、次ページへの切替えであってもよく、またこれを付加したものであったも良い。
【００３０】
【発明の効果】
以上説明したように、この発明によれば、記録媒体から楽曲データを読み出して記憶するので、新譜等の楽曲データを随時追加させ自身のデータベースを更新することができる。これによりいつでも最新の楽曲を予約できるように準備することができる。また楽曲を特定するための情報を表示させながら楽曲を指定するので、単に楽曲を指定して選曲するだけでなく、楽曲を検索することにも利用できる。さらに楽曲を特定するための情報を無線送信するので、目次本を参照せずカラオケ選曲リモコン装置自身で最新の情報を蓄え、それを検索でき、さらに楽曲を予約することまでもできる。従って、演奏装置の機種を意識することなく誰にでも簡単な操作手順で楽曲を予約することができ、利用者側の負担を軽減してくれるカラオケ選曲リモコン装置を得られる効果がある。
【００３１】
また、カラオケ演奏装置の機種別に楽曲データを整理してデータベース化して管理するとともに、最新の新譜も機種別に整理してデータベースを更新管理するので、一台のカラオケ選曲リモコン装置を切替式で複数のカラオケ演奏装置に使用することができ、どの機種でも同じ操作で予約することができるカラオケ選曲リモコン装置を得られる効果がある。
【図面の簡単な説明】
【図１】この発明に係るカラオケ選曲リモコン装置の一実施例の構成を示すブロック図である。
【図２】図１に示したカラオケ選曲リモコン装置の外観形状を示す正面図である。
【図３】本実施例において楽曲を特定するための情報を管理する記憶形式の一例を示す説明図である。
【図４】本実施例において無線送信する際のフラグ情報の一例を示す説明図である。
【図５】本実施例による予約動作を説明するフローチャートである。
【図６】本実施例による予約動作を説明するフローチャートである。
【図７】本実施例による表示例を示す図である。
【符号の説明】
１　　　カラオケ選曲リモコン装置
１０　　操作部（指定手段）
１０ａ　文字キー
１０ｂ　予約キー
１０ｅ　画面切替キー
１０ｆ　コピーキー
１０ｇ　カーソルキー
１６　　表示制御部
１８　　表示部（表示手段）
２０　　赤外線発信部（無線送信手段）
２２　　メモリカード（記録媒体）
２４　　カセット検知及びデータ読込部（装着手段）
２６　　制御部
２６ａ　ＣＰＵ
２６ｂ　ＲＯＭ
２６ｃ　ＲＡＭ（記憶手段）
【図１】
2004029725.tif 000003
【図２】
2004029725.tif 000004
【図３】
2004029725.tif 000005
【図４】
2004029725.tif 000006
【図５】
2004029725.tif 000007
【図６】
2004029725.tif 000008
【図７】
2004029725.tif 000009